(57)【要約】【解決手段】間伐材である丸太の外周面を加工するとともにその丸太を横に切断することにより複数の切断片を設け、その各切断片の外周で形取られた外周縁部６と、その各切断片の厚み方向の両側でこの外周縁部６により囲まれた年輪を有する木地面とからなる表板５を複数設け、その各表板５の両木地面のうち一方の木地面である接合面を基板１３上に重ねるとともに他方の木地面である表面８を露出させた状態で、その各表板５を基板１３上に並べて固着し、互いに隣接する両表板５の外周縁部６間に筋溝１８を設けた。【効果】丸太の年輪を建築用天然木パネル１の装飾として有効に利用して建築用天然木パネル１としての装飾性を高めることができるとともに、建築用天然木パネル１を建物の壁や天井などに貼り付け易くすることができる。【選択図】図１
0003124616.tif 000002
【実用新案登録請求の範囲】
【請求項１】
長尺木材を横に切断することにより複数の切断片を設け、その各切断片の外周で形取られた外周縁部と、その各切断片の厚み方向の両側でこの外周縁部により囲まれた年輪を有する木地面とからなる表板を複数設け、その各表板の両木地面のうち一方の木地面である接合面を基板上に重ねるとともに他方の木地面である表面を露出させた状態で、その各表板を基板上に並べて固着したことを特徴とする天然木パネル。
【請求項２】
長尺木材を横に切断することにより複数の切断片を設け、その各切断片の外周で形取られた外周縁部と、その各切断片の厚み方向の両側でこの外周縁部により囲まれた年輪を有する木地面とからなる表板を複数設け、
型枠において底板上で縦横に配設した各枠部により区画された複数の収容室に前記表板を嵌め込んで位置決めしてその各表板の両木地面のうち一方の木地面である表面を底板上に重ねた状態で、他方の木地面である接合面に基板を重ねてその接合面と基板とを互いに固着し、この収容室からこの各表板をこの基板とともに取り外すことにより、
その各表板の接合面と表面とのうち接合面を基板上に重ねるとともに表面を露出させた状態で、その各表板を基板上に並べて固着した
ことを特徴とする天然木パネル。
【請求項３】
前記長尺木材は、伐採した木材である丸太の外周面を加工したものであることを特徴とする請求項１または請求項２に記載の天然木パネル。
【請求項４】
前記基板は、形取られた外周縁部と、厚み方向の両側でこの外周縁部により囲まれた表面及び裏面とを有し、この基板の表面及び裏面のうち基板の外周縁部の内側で基板の表面に前記各表板を並べて固着したことを特徴とする請求項１または請求項２または請求項３に記載の天然木パネル。
【請求項５】
前記各表板の外周縁部のうち前記基板の表面上で互いに隣接する両表板の外周縁部間には筋溝を設けたことを特徴とする請求項４に記載の天然木パネル。
【請求項６】
前記基板の外周縁部に目地を設け、その目地よりも内側で前記表板の外周縁部をその目地に沿って設けたことを特徴とする請求項５に記載の天然木パネル。
【請求項７】
前記基板も木材により形成したことを特徴とする請求項１から請求項６のうちいずれかの請求項に記載の天然木パネル。
【請求項８】
建築用として建物の壁または天井に利用されることを特徴とする請求項１から請求項７のうちいずれかの請求項に記載の天然木パネル。
【考案の詳細な説明】
【技術分野】
【０００１】
本考案は、主に建築用として建物の壁や天井などに貼り付ける天然木パネルに係り、特に間伐材を有効に利用した天然木パネルに関するものである。
【背景技術】
【０００２】
従来、この種の建築用パネルとしては木材を主体として形成されたものが健康に良いため、下記特許文献１では、間伐丸太を縦に切断して複数の半円柱状木材を形成し、その各半円柱状木材の元口と末口とを互いに反対向きにしてその各半円柱状木材の切断面を末口の半径から１ｃｍの幅の範囲で互いに重ね合わせて固着している。
【特許文献１】特開平７−２７９３０３号公報
【考案の開示】
【考案が解決しようとする課題】
【０００３】
上記特許文献１にかかる建築用パネルは複数の半円柱状木材を互いに組み合わせて形成されているため、丸太の年輪が建築用パネルの装飾として有効に利用されていない。また、建築用パネルを建物の壁や床や天井などに貼り付けにくい。
【０００４】
この考案は、丸太の年輪を建築用等の天然木パネルの装飾として有効に利用して建築用パネル等としての装飾性を高めることができるとともに、天然木パネルを建物の壁や天井などに貼り付け易くすることを目的としている。
【課題を解決するための手段】
【０００５】
後記実施形態の図面（図１〜６）の符号を援用して本考案にかかる天然木パネルを説明する。
請求項１の考案にかかる天然木パネル１においては、長尺木材２，３を横に切断することにより複数の切断片４を設け、その各切断片４の外周で形取られた外周縁部６と、その各切断片４の厚み方向の両側でこの外周縁部６により囲まれた年輪を有する木地面とからなる表板５を複数設け、その各表板５の両木地面のうち一方の木地面である接合面７を基板１３上に重ねるとともに他方の木地面である表面８を露出させた状態で、その各表板５を基板１３上に並べて固着した。なお、基板１３の材質は特に問わないが、一枚の木材板や合板等が好ましい。
【０００６】
請求項１の考案では、間伐材等の長尺木材２，３を有効に利用することが可能になるばかりでなく、各表板５の表面８で年輪が露出するため、それらの年輪が互いに集まって天然木パネル１の装飾性を高めることができる。また、その各表板５を基板１３上に並べて固着したので、その基板１３を建物の壁や天井などに貼り付け易い。
【０００７】
請求項２の考案にかかる天然木パネル１においては、長尺木材２，３を横に切断することにより複数の切断片４を設け、その各切断片４の外周で形取られた外周縁部６と、その各切断片４の厚み方向の両側でこの外周縁部６により囲まれた年輪を有する木地面とからなる表板５を複数設け、型枠９において底板１０上で縦横に配設した各枠部１１により区画された複数の収容室１２に前記表板５を嵌め込んで位置決めしてその各表板５の両木地面のうち一方の木地面である表面８を底板１０上に重ねた状態で、他方の木地面である接合面７に基板１３を重ねてその接合面７と基板１３とを互いに固着し、この各収容室１２からこの各表板５をこの基板１３とともに取り外すことにより、その各表板５の接合面７と表面８とのうち接合面７を基板１３上に重ねるとともに表面８を露出させた状態で、その各表板５を基板１３上に並べて固着した。
【０００８】
請求項２の考案では、請求項１の考案の効果に加え、型枠９を利用して天然木パネル１を容易に製造することができる。
請求項１または請求項２の考案を前提とする請求項３の考案において、前記長尺木材は、伐採した木材である丸太２の外周面を加工したもの（角材３等）である。請求項３の考案では、間伐材等の長尺木材（丸太２や角材３等）を有効に利用することができる。
【０００９】
請求項１または請求項２または請求項３の考案を前提とする請求項４の考案において、前記基板１３は、形取られた外周縁部１４と、厚み方向の両側でこの外周縁部１４により囲まれた表面１５及び裏面１６とを有し、この基板１３の表面１５及び裏面１６のうち基板５の外周縁部６の内側で基板１３の表面１５に前記各表板５を並べて固着した。請求項４の考案では、基板１３の裏面１６を建物の壁や天井などに当てがって容易に貼り付けることができる。その際、各表板５が基板１３の外周縁部１４から突出しないため、複数の天然木パネル１を互いに並べて建物の壁や天井などに容易に貼り付けることができる。
【００１０】
請求項４の考案を前提とする請求項５の考案において、前記各表板５の外周縁部６のうち前記基板１３の表面１５上で互いに隣接する両表板５の外周縁部６間には筋溝１８を設けた。請求項５の考案では、その筋溝１８が互いに隣接する両表板５の外周縁部６間の余裕空間として機能するため、各種形状の表板５を用意して基板１３の表面１５上に並べ易くなる。また、その筋溝１８が模様としても機能するため、年輪と相俟って天然木パネル１の装飾性を高めることができる。
【００１１】
請求項５の考案を前提とする請求項６の考案において、前記基板１３の外周縁部１４に目地１９を設け、その目地１９よりも内側で前記表板５の外周縁部６をその目地１９に沿って設けた。請求項６の考案では、複数の天然木パネル１を互いに並べた際、その目地１９により筋溝１８を設けることができる。
【００１２】
請求項１から請求項６のうちいずれかの請求項の考案を前提とする請求項７の考案において、前記基板１３も木材により形成した。この木材には一枚の木材板や合板等が含まれる。請求項７の考案では、各表板５とこの基板１３とが共に木材類により形成されているため、それらが互いに調和し易くなって、天然木パネル１の装飾性を高めることができる。
【００１３】
請求項１から請求項７のうちいずれかの請求項の考案を前提とする請求項８の考案において、天然木パネル１は建築用として建物の壁または天井に利用される。請求項８の考案では、天然木パネル１を建築用パネルとして有効利用することができる。
【考案の効果】
【００１４】
本考案は、丸太２の年輪を建築用パネル等の天然木パネル１の装飾として有効に利用して建築用パネル等としての装飾性を高めることができるとともに、天然木パネル１を建物の壁や天井などに貼り付け易くすることができる。
【考案を実施するための最良の形態】
【００１５】
以下、本考案の一実施形態にかかる天然木パネルについて図面を参照して説明する。
図１に示す建築用の天然木パネル１は下記の手順で製造される。
図２（ａ）に示す長尺木材としての丸太２は伐採した木材例えば間伐材である。その丸太２の外周面２ａを加工して図２（ｂ）に示す横断面正四角柱状の角材３を長尺木材として形成する。丸太２に対する加工時にその角材３の外周四面３ａを平滑面にし、その後に角材３を十分に乾燥させる。図２（ｃ）に示すように、その角材３を横に切断して複数の切断片４を形成する。その各切断片４それぞれがそのまま図３（ａ）（ｂ）に示す表板５になる。この表板５は、切断片４の外周で形取られた正方形状の外周縁部６と、その切断片４の厚み方向の両側でこの外周縁部６により囲まれた年輪を有する平坦な木地面のうち、一方の木地面である平坦な接合面７と、他方の木地面である平坦な表面８とを有している。
【００１６】
図４（ａ）に示す型枠９においては、底板１０上で各枠部１１が縦横に配設され、その各枠部１１により複数の収容室１２が区画されて縦横に並設されている。図４（ｂ）に示すように、その各収容室１２に前記表板５を嵌め込んで位置決めし、その各表板５の両木地面のうち、一方の木地面である表面８を底板１０上に重ねるとともに、他方の木地面である接合面７を型枠９から露出させる。図３（ｃ）（ｄ）に示す基板１３は、合板等の木材からなり、正方形状に形取られた外周縁部１４と、厚み方向の両側でこの外周縁部１４により囲まれた平坦な表面１５及び裏面１６とを有している。図４（ｃ）に示すように、この基板１３を型枠９に嵌め込んで基板１３の表面１５を各表板５の接合面７に重ねるとともに、基板１３の裏面１６を型枠９から露出させ、その裏面１６に多数の又釘１７を打って基板１３に各表板５を固着する。その際、基板１３の表面１５と各表板５の接合面７との間に接着剤を予め塗布して基板１３と各表板５とを仮止めする。この各収容室１２からこの各表板５をこの基板１３とともに取り外すと、図１に示す建築用の天然木パネル１が完成する。
【００１７】
この建築用天然木パネル１においては、各表板５の接合面７と表面８とのうち接合面７が基板１３の表面１５上に重ねられるとともに表面８が露出した状態で、その各表板５が基板１３の外周縁部１４の内側で基板１３の表面１５上に縦横に並べられて固着され、互いに隣接する両表板５の外周縁部６間に筋溝１８が設けられている。この各筋溝１８は縦横に配設されて互いに交差し、各筋溝１８の端部が基板１３の外周縁部１４に開放されている。基板１３において互いに隣接する二辺で外周縁部１４に目地１９が設けられ、その目地１９よりも内側で各表板５の外周縁部６がその目地１９に沿って設けられている。この建築用天然木パネル１において各表板５の表面８につばき油等を吹き付けて艶出ししてもよい。
【００１８】
このようにして製造された建築用天然木パネル１は、図５に示すように互いに並べられて建物の壁や天井などに貼り付けられる。その際、各基板１３の裏面１６が壁等の下地材に当てがわれて接着剤により仮止めされた状態で、各基板１３が各筋溝１８でその下地材に対し傘の小さい釘により固定されるとともに、互いに隣接する両基板１３において目地１９が目地１９のない外周縁部１４に当てがわれ、その目地１９上で互いに隣接する両表板５の外周縁部６間に筋溝１８が形成される。互いに並べられた各建築用天然木パネル１間では、各表板５が縦横に並ぶとともに、各筋溝１８が縦横に並ぶ。従って、丸太２の年輪を建築用天然木パネル１の装飾として有効に利用して建築用天然木パネル１としての装飾性を高めることができるとともに、建築用天然木パネル１を建物の壁や天井などに貼り付け易い。
【００１９】
例えば図６（ａ）（ｂ）に示すように、建築用天然木パネル１において各表板５の形状や配置を変更してもよい。また、図示しないが、互いに隣接する両表板５の外周縁部６を直接接触させて両外周縁部６間の筋溝１８の一部または全部を省略してもよい。なお、この天然木パネル１は建築用以外の各種用途にも利用することができる。
【図面の簡単な説明】
【００２０】
【図１】本実施形態にかかる一枚の建築用天然木パネルを示す斜視図である。
【図２】（ａ）は伐採した丸太を概略的に示す斜視図であり、（ｂ）はその木材の外周面を加工した角材を示す斜視図であり、（ｃ）はその角材を横に切断した複数の切断片を示す斜視図である。
【図３】（ａ）（ｂ）はそれぞれ図２（ｃ）の切断片からなる表板を示す斜視図であり、（ｃ）（ｄ）は基板を示す斜視図である。
【図４】（ａ）は型枠を示す斜視図であり、（ｂ）はその型枠に上記表板を嵌め込んだ状態を示す斜視図であり、（ｃ）はさらにその型枠に基板を重ねた状態を示す斜視図である。
【図５】本実施形態にかかる各建築用天然木パネルを並べた壁または天井の一部を示す正面図である。
【図６】（ａ）（ｂ）はそれぞれ別の実施形態にかかる一枚の建築用天然木パネルを示す正面図である。
【符号の説明】
【００２１】
１…建築用天然木パネル、２…長尺木材としての丸太、２ａ…丸太の外周面、３…長尺木材としての角材、４…切断片、５…表板、６…表板の外周縁部、７…表板の接合面、８…表板の表面、９…型枠、１０…型枠の底板、１１…型枠の枠部、１２…型枠の収容室、１３…基板、１４…基板の外周縁部、１５…基板の表面、１６…基板の裏面、１８…筋溝、１９…基板の目地。
【図１】
0003124616.tif 000003
【図２】
0003124616.tif 000004
【図３】
0003124616.tif 000005
【図４】
0003124616.tif 000006
【図５】
0003124616.tif 000007
【図６】
0003124616.tif 000008